(57)【要約】      （修正有）【課題】利用者の収納、携帯する非接触型ＩＣタグまたはカード内のデータがＲＦＩＤリーダまたはライタからの読取または書込されることを防止し、電波、電界、磁界の高い遮断性を有しながら収納、携帯に適した形状の非接触型ＩＣタグまたはカード読取書込防止物を製造提供する。【解決手段】金属板または金属箔2を外表素材1に挟み加工を施したものを製造提供し、利用者の収納、携帯する非接触型ＩＣタグまたはカードと重ね合わせて使用し、電波、電界、磁界を遮断する。【選択図】図２
2006260457.tif 000002
【特許請求の範囲】
【請求項１】
金属板または金属箔を用い形成したことを特徴とする非接触型ＩＣタグまたはカードの読取書込防止物。
【請求項２】
非接触型ＩＣタグまたはカード内のデータに対しＲＦＩＤリーダまたはライタからの読取書込防止を目的とする非接触型ＩＣタグまたはカードの読取書込防止物の使用方法。
【発明の詳細な説明】
【技術分野】
【０００１】
本発明は、非接触型ＩＣタグまたはカード読取書込防止物の製造とその使用方法に関する。
【背景技術】
【０００２】
従来においては、ＲＦＩＤリーダまたはライタの筐体等に金属板等を設置し、非接触型ＩＣタグまたはカードを検出する範囲を制限または特定することはある。
【０００３】
しかしながら、非接触型ＩＣタグまたはカードを収納、携帯する利用者が、任意でＲＦＩＤリーダまたはライタからの電波、電界、磁界を遮断し、非接触型ＩＣタグまたはカードの読取または書込を防止する目的の発明事例はなく、利用者が収納、携帯する非接触型ＩＣタグまたはカードにおいて、現状ではＲＦＩＤリーダまたはライタからの読取または書込の電波、電界、磁界を任意に遮断することは出来ない。
【発明の開示】
【発明が解決しようとする課題】
【０００４】
ＲＦＩＤリーダまたはライタで検出される範囲を特定するためにＲＦＩＤリーダまたはライタ側機器筐体等に金属板を設置することはあるが、非接触型ＩＣタグまたはカードの利用者において任意に非接触型ＩＣタグまたはカードの読取または書込を制限することを目的とした、電波、電界、磁界を遮断する非接触型ＩＣタグまたはカードの読取書込防止物は存在しない、これを解決する。
【０００５】
非接触型ＩＣタグまたはカードを利用者が携帯する場合、ＲＦＩＤリーダまたはライタからの読取または書込の電波、電界、磁界を任意で遮断することは出来ない。たとえその電波、電界、磁界が個人情報等の読取書込を目的とする類の犯罪的意図の強いものである場合でも、利用者は現状ではＲＦＩＤリーダまたはライタからの電波、電界、磁界を遮断する事が出来ず、犯罪に巻き込まれたり、社会的金銭的被害をこうむる危険性があり、それを防止解決する。
【課題を解決するための手段】
【０００６】
本発明の非接触型ＩＣタグまたはカード読取書込防止物は、前記課題を解決し目的を達成するために、金属板または金属箔を外表素材で挟み、収納、携帯するのに最適な重量、サイズ、厚みと軟度を提供する形状等に加工を施す。
【０００７】
本発明の非接触型ＩＣタグまたはカード読取書込防止物の製造において携帯するのに適した形状等に加工する場合、金属板または金属箔を挟む外表素材はＰＥＴやプラスチック、ビニール等要望に応じて適宜選択する。
【０００８】
上記手段によって製造された本発明の非接触型ＩＣタグまたはカード読取書込防止物を、携帯する非接触型ＩＣタグまたはカードと重ね合わせ収納、携帯する。
【０００９】
上記手段でいう収納、携帯とは、財布や名刺入れ、カードフォルダ、バッグなどの携行品のほか、衣類のポケットや携帯電話ケース等、非接触型ＩＣタグまたはカードを収納し得るものを含む。
【発明の効果】
【００１０】
本発明の非接触型ＩＣタグまたはカード読取書込防止物は、金属板または金属箔を用いることにより、ＲＦＩＤリーダまたはライタより発信される電波、電界、磁界等の高い遮断性を有し、ＲＦＩＤリーダまたはライタによる非接触型ＩＣタグまたはカード内のデータの読取または書込を防止する。
【００１１】
本発明の非接触型ＩＣタグまたはカード読取書込防止物は、金属板または金属箔を用いることにより、収納、携帯するのに適した軟度、重量を有し、実用性に優れた効果を奏する。
【００１２】
本発明の非接触型ＩＣタグまたはカード読取書込防止物を利用者が非接触型ＩＣタグまたはカードを重ね合わせ収納、携帯することにより、ＲＦＩＤリーダまたはライタからの電波、電界、磁界を遮断する。
【００１３】
上記効果により、利用者が任意で、非接触型ＩＣタグまたはカード内の個人情報等を含む各種情報をＲＦＩＤリーダまたはライタから読取または書込されることを防止し、個人情報等の流出や犯罪等へつながり得る読取書込等から利用者の非接触型ＩＣタグまたはカード内のデータを保護することができ、安全性と実用性に優れた効果を発揮する。
【発明を実施するための最良の形態】
【００１４】
金属板または金属箔をＰＥＴやプラスチック、ビニール等素材の間に挟み、収納、携帯に適した形状に形成する。
【００１５】
本発明の非接触型ＩＣタグまたはカード読取書込防止物を、非接触型ＩＣタグまたはカードを非接触型ＩＣタグまたはカードと重ね合わせ、収納、携帯する。
【実施例１】
【００１６】
図１・図２に示すように、非接触型ＩＣタグまたはカード読取書込防止物は、金属板または金属箔を外表素材に挟み、加工を施し形成した概観である。
【実施例２】
【００１７】
図３・図４に示すように、上記にて実施形成された非接触型ＩＣタグまたはカード読取書込防止物を非接触型ＩＣタグまたはカードに重ね合わせ、収納、携帯し、ＲＦＩＤリーダまたはライタからの電波を遮断する。
【００１８】
図５に示すように、非接触型ＩＣタグまたはカードと本発明の非接触型ＩＣタグまたはカード読取書込防止物を重ね合わせ収納、携帯することによる、ＲＦＩＤリーダまたはライタからの読取防止は、非接触型ＩＣタグまたはカードの形状や収納、携帯する利用者の都合により、さまざまな実施形態を伴う。
【産業上の利用可能性】
【００１９】
本発明は、非接触型ＩＣタグまたはカードの読取書込防止に適用する非接触型ＩＣタグまたはカード読取書込防止物に関する。
【００２０】
本発明は、非接触型ＩＣタグまたはカードの読取書込防止に適用する非接触型ＩＣタグまたはカード読取書込防止物の使用方法に関する。
【図面の簡単な説明】
【００２１】
【図１】本発明の実施の形態に係る非接触型ＩＣタグまたはカード読取書込防止物の概略構成図である。
【図２】本発明の実施の形態に係る非接触型ＩＣタグまたはカード読取書込防止物の構造を示した断面図である。
【図３】本発明の実施の形態に係る非接触型ＩＣタグまたはカード読取書込防止物の使用方法を示した図である。
【図４】本発明の実施の形態に係る非接触型ＩＣタグまたはカード読取書込防止物の使用方法を断面にて示した図である。
【図５】本発明の実施の形態に係る非接触型ＩＣタグまたはカード読取書込防止物の使用方法の一例を示した図である。
【符号の説明】
【００２２】
１    外表素材
２    金属板または金属箔
３    紙
４    非接触型ＩＣタグまたはカード
５    非接触型ＩＣタグまたはカード読取書込防止物
６    RFIDリーダまたはライタ
７    電波、電界、磁界
８    携帯電話等非接触型ＩＣタグ（入り製品）
９    衣類のポケット等
【図１】
2006260457.tif 000003
【図２】
2006260457.tif 000004
【図３】
2006260457.tif 000005
【図４】
2006260457.tif 000006
【図５】
2006260457.tif 000007